(57)【要約】【課題】確認用ＬＥＤおよびブザーが無くとも設定モードに移行したことの確認を可能とするバーコードリーダを提供する。【解決手段】制御部１０４の投光部駆動信号発生部１１３を駆動することにより投光部１０９から光を照射して、受光部１０１にて設定モードへの移行を指示する設定開始バーコードシンボルを読み取り、制御部１０４のデコード部１１１にて該設定開始バーコードシンボルの受け取りを確認した際に、投光部駆動信号発生部１１３を点滅駆動して投光部１０９をあらかじめ定めた任意の周期で点滅させることにより、バーコードリーダ１００が設定モードへ移行したことをユーザに通知する。なお、外部読取信号入力部１０６を介してユーザから点灯指示を受信することにより、投光部駆動信号発生部１１３を駆動して投光部１０９を点灯させて、設定開始バーコードシンボル４００を読み取ることも可能である。【選択図】図１
2008033711.tif 000002
【特許請求の範囲】
【請求項１】
投光部から光を照射して受光部によりバーコードシンボルを読み取るバーコードリーダにおいて、前記投光部をあらかじめ定めた任意の周期で点滅させることにより当該バーコードリーダが設定モードへ移行したことをユーザに通知することを特徴とするバーコードリーダ。
【請求項２】
設定モードへの移行を指示する設定開始バーコードシンボルを前記受光部にて読み取った際に、設定モードへ移行したことを示すために前記投光部を点滅させることを特徴とする請求項１に記載のバーコードリーダ。
【請求項３】
ユーザから点灯指示を受信した際に、前記投光部を点灯させて、前記設定開始バーコードシンボルを前記受光部にて読み取った場合、前記投光部を点滅させることを特徴とする請求項２に記載のバーコードリーダ。
【請求項４】
当該バーコードリーダの設定モードに移行した後、設定すべき設定状態を示す設定用バーコードシンボルを前記受光部にて読み取ることにより、前記設定用バーコードシンボルに該当する動作状態に当該バーコードリーダを設定することを特徴とする請求項１ないし３のいずれかに記載のバーコードリーダ。
【請求項５】
ユーザから点灯指示を受信した際に、前記投光部を点灯させて、前記設定用バーコードシンボルを前記受光部にて読み取ることにより、該当する状態に当該バーコードリーダを設定することを特徴とする請求項４に記載のバーコードリーダ。
【請求項６】
前記設定用バーコードシンボルに該当する状態に当該バーコードリーダを設定した後、前記投光部を点滅状態に自動的に復帰させることを特徴とする請求項５に記載のバーコードリーダ。
【請求項７】
前記設定用バーコードシンボルに該当する動作状態の種類として、通信設定、読取シンボルラベル体系の選択結果の設定を少なくとも含むことを特徴とする請求項４ないし６のいずれかに記載のバーコードリーダ。
【請求項８】
当該バーコードリーダの設定モードに移行した後、設定モードの終了を示す設定終了バーコードシンボルを前記受光部にて読み取ることにより、設定モードを終了することを特徴とする請求項１ないし７のいずれかに記載のバーコードリーダ。
【請求項９】
当該バーコードリーダの設定モードを終了した際に、前記投光部を消灯状態に設定することを特徴とする請求項８に記載のバーコードリーダ。
【請求項１０】
前記投光部が、ＬＥＤまたはレーザダイオードからなっていることを特徴とする請求項１ないし９のいずれかに記載のバーコードリーダ。
【請求項１１】
投光部から光を照射して受光部によりバーコードシンボルを読み取るバーコードリーダの設定モードへの移行を確認するバーコードリーダ設定モード確認方法において、前記投光部をあらかじめ定めた任意の周期で点滅させることにより当該バーコードリーダが設定モードへ移行したことをユーザに通知することを特徴とするバーコードリーダ設定モード確認方法。
【請求項１２】
設定モードへの移行を指示する設定開始バーコードシンボルを前記受光部にて読み取った際に、設定モードへ移行したことを示すために前記投光部を点滅させることを特徴とする請求項１１に記載のバーコードリーダ設定モード確認方法。
【請求項１３】
ユーザから点灯指示を受信した際に、前記投光部を点灯させて、前記設定開始バーコードシンボルを前記受光部にて読み取った場合、前記投光部を点滅させることを特徴とする請求項１２に記載のバーコードリーダ設定モード確認方法。
【発明の詳細な説明】
【技術分野】
【０００１】
本発明は、バーコードリーダおよびバーコードリーダ設定モード確認方法に関する。
【背景技術】
【０００２】
特許文献１の特開平７−１２１６４８号公報「バーコードスキャナ装置」にも記載されているように、近年、バーコードリーダの高機能化が益々進み、通信設定、読取シンボルラベル体系の選択など、種々の動作状態の設定を行うことができるようになってきている。一方、バーコードリーダ市場では、高機能化されたバーコードリーダであるものの、そのコスト低減が強く要求されている。
【特許文献１】特開平７−１２１６４８号公報（第２−３頁）
【発明の開示】
【発明が解決しようとする課題】
【０００３】
しかしながら、バーコードリーダのコスト低減のために、過度の部品の削除を行うことは、工場での製造時、あるいは、出荷後の市場での運用時におけるバーコードリーダの設定作業に支障を来たすおそれがある。ここで、一般に、バーコードリーダの種々の動作状態の設定は、設定用のバーコードシンボルを読み取らせることにより実施することが多い。そして、設定時には、設定モードに移行したことを設定者に認識させるために、バーコードリーダにあらかじめ搭載されている確認用ＬＥＤ、ブザーを用いて視覚的、聴覚的に通知するようにしている。
【０００４】
しかし、近年、他の製品内に組み込まれるバーコードリーダにおいては、仕様上、確認用ＬＥＤおよびブザーが不要な場合があり、バーコードリーダのコストダウンも兼ねて、確認用ＬＥＤおよびブザーを削除する要求が市場に出始めている。一方、確認用ＬＥＤおよびブザーをバーコードリーダから削除すると、工場での製造時、あるいは、出荷後の市場での運用時などにおいて、バーコードリーダの設定変更が発生した場合、設定モードに移行したか否かの判断ができなくなる可能性がある。
【０００５】
そこで、本発明の目的は、バーコードの読み取りに不可欠な投光部(ＬＥＤまたはレーザダイオード)を利用して、バーコードリーダが設定モードに移行したことを確認可能とすることにより、確認用ＬＥＤおよびブザーが無くとも容易に設定モードに移行したことの確認を可能とするバーコードリーダおよびバーコードリーダ設定モード確認方法を提供することにある。
【課題を解決するための手段】
【０００６】
前述の課題を解決するため、本発明によるバーコードリーダおよびバーコードリーダ設定モード確認方法は、次のような特徴的な構成を採用している。
【０００７】
（１）投光部から光を照射して受光部によりバーコードシンボルを読み取るバーコードリーダにおいて、前記投光部をあらかじめ定めた任意の周期で点滅させることにより当該バーコードリーダが設定モードへ移行したことをユーザに通知するバーコードリーダ。
（２）設定モードへの移行を指示する設定開始バーコードシンボルを前記受光部にて読み取った際に、設定モードへ移行したことを示すために前記投光部を点滅させる上記（１）のバーコードリーダ。
（３）ユーザから点灯指示を受信した際に、前記投光部を点灯させて、前記設定開始バーコードシンボルを前記受光部にて読み取った場合、前記投光部を点滅させる上記（２）のバーコードリーダ。
（４）当該バーコードリーダの設定モードに移行した後、設定すべき設定状態を示す設定用バーコードシンボルを前記受光部にて読み取ることにより、前記設定用バーコードシンボルに該当する動作状態に当該バーコードリーダを設定する上記（１）ないし（３）のいずれかのバーコードリーダ。
（５）ユーザから点灯指示を受信した際に、前記投光部を点灯させて、前記設定用バーコードシンボルを前記受光部にて読み取ることにより、該当する状態に当該バーコードリーダを設定する上記（４）のバーコードリーダ。
（６）前記設定用バーコードシンボルに該当する状態に当該バーコードリーダを設定した後、前記投光部を点滅状態に自動的に復帰させる上記（５）のバーコードリーダ。
（７）前記設定用バーコードシンボルに該当する動作状態の種類として、通信設定、読取シンボルラベル体系の選択結果の設定を少なくとも含む上記（４）ないし（６）のいずれかのバーコードリーダ。
（８）当該バーコードリーダの設定モードに移行した後、設定モードの終了を示す設定終了バーコードシンボルを前記受光部にて読み取ることにより、設定モードを終了する上記（１）ないし（７）のいずれかのバーコードリーダ。
（９）当該バーコードリーダの設定モードを終了した際に、前記投光部を消灯状態に設定する上記（８）のバーコードリーダ。
（１０）前記投光部が、ＬＥＤまたはレーザダイオードからなっている上記（１）ないし（９）のいずれかのバーコードリーダ。
（１１）投光部から光を照射して受光部によりバーコードシンボルを読み取るバーコードリーダの設定モードへの移行を確認するバーコードリーダ設定モード確認方法において、前記投光部をあらかじめ定めた任意の周期で点滅させることにより当該バーコードリーダが設定モードへ移行したことをユーザに通知するバーコードリーダ設定モード確認方法。
（１２）設定モードへの移行を指示する設定開始バーコードシンボルを前記受光部にて読み取った際に、設定モードへ移行したことを示すために前記投光部を点滅させる上記（１１）のバーコードリーダ設定モード確認方法。
（１３）ユーザから点灯指示を受信した際に、前記投光部を点灯させて、前記設定開始バーコードシンボルを前記受光部にて読み取った場合、前記投光部を点滅させる上記（１２）のバーコードリーダ設定モード確認方法。
【発明の効果】
【０００８】
本発明のバーコードリーダおよびバーコードリーダ設定モード確認方法によれば、次のような効果が得られる。
【０００９】
まず、第１に、従来製品に備えられていたブザー、確認ＬＥＤを削除することができるので、バーコードリーダ製品のコスト低減が可能となることである。
【００１０】
第２に、工場での製造時、あるいは、出荷後の市場での運用時などにおいて、ブザー、確認ＬＥＤが無くても、バーコードリーダの設定モードに移行したことを確認することができるので、設定時のトラブルを防止することができることである。
【発明を実施するための最良の形態】
【００１１】
以下、本発明によるバーコードリーダおよびバーコードリーダ設定モード確認方法の好適実施形態例について添付図を参照して説明する。
【００１２】
（実施例の構成）
次に、本発明によるバーコードリーダの一実施例について、その構成例を説明する。図１は、本発明によるバーコードリーダのブロック構成の一例を示すブロック構成図であるが、図２に、参考のため、従来のバーコードリーダのブロック構成も合わせて図示している。
【００１３】
本発明の一実施例であるバーコードリーダ１００は、図１に示すように、受光部１０１、増幅回路部１０２、二値化回路部１０３、制御部１０４、データ出力部１０５、外部読取信号入力部１０６、投光部１０９を少なくとも含んで構成されており、バーコードシンボル３００を読み取る。これに対して、図２に示す従来の一般的なバーコードリーダ２００は、受光部１０１、増幅回路部１０２、二値化回路部１０３、制御部１０４、データ出力部１０５、外部読取信号入力部１０６、ブザー１０７、確認ＬＥＤ１０８、投光部１０９から構成され、バーコードシンボル３００を読み取る。
【００１４】
すなわち、図１に示す本発明の一実施例であるバーコードリーダ１００は、図２の従来のバーコードリーダ２００におけるブザー１０７、確認ＬＥＤ１０８を削除した構成からなっており、コストダウンを図った構成とされている。ここで、バーコードシンボルを読み取る受光部１０１は、ＣＣＤイメージセンサあるいはフォトダイオードで構成され、バーコードシンボルに光を照射する投光部１１０は、ＬＥＤあるいはレーザダイオードで構成される。
【００１５】
また、図１のバーコードリーダ１００、図２のバーコードリーダ２００の双方ともに、制御部１０４は、受光部１０１で読み取ったバーコードシンボルをデコードするデコード部１１１、受光部１０１にバーコードシンボルの読み取り動作を行わせるための駆動信号を発生する受光部駆動信号発生部１１２、バーコードシンボルに光を照射する投光部１０９を点灯あるいは点滅あるいは消灯させる駆動信号を発生する投光部駆動信号発生部１１３を含んで構成されている。
【００１６】
（実施例の動作の説明）
次に、図１に示す本発明の一実施例であるバーコードリーダ１００における設定モードの設定動作について、その一例を説明する。
【００１７】
本実施例の説明に先立って、まず、図２に示した従来の一般的なバーコードリーダ２００における設定モードの設定時の動作について説明する。図２のバーコードリーダ２００において、外部読取信号入力部１０６に対して操作者（ユーザ）からの点灯指示の信号を印加することによって、制御部１０４の投光部駆動信号発生部１１３を駆動させることにより、投光部１０９を点灯させて、受光部１０１によって設定開始バーコードシンボル４００を読み取る。この読み取り結果は、増幅回路部１０２、二値化回路部１０３を介して、制御部１０４に通知され、制御部１０４のデコード部１１１にて設定モードに移行したものと判断され、ブザー１０７を鳴動し、確認ＬＥＤ１０８を点灯あるいは点滅させることによって、操作者は、バーコードリーダ２００が設定モードに移行したことを確認することができる。
【００１８】
次に、図１の本発明の一実施例のバーコードリーダ１００における設定モードの設定動作について説明する。図２のバーコードリーダ２００の場合と同様に、まず、外部読取信号入力部１０６に対して操作者（ユーザ）からの点灯指示の信号を印加することによって、制御部１０４の投光部駆動信号発生部１１３を駆動させることにより投光部１１０を点灯させて、受光部１０１にて設定開始バーコードシンボル４００を読み取る。この読み取り結果は、増幅回路部１０２、二値化回路部１０３を介して、制御部１０４に通知され、制御部１０４のデコード部１１１にて設定モードに移行したものと判断される。
【００１９】
しかる後、図２のバーコードリーダ２００の場合とは異なり、本実施例では、制御部１０４の投光部駆動信号発生部１１３を点滅駆動させることにより投光部１０９を点滅させる。なお、設定モードの状態において、投光部１０９を点灯状態に設定すると、操作者（ユーザ）は運用モードの状態と設定モードの状態との判断がつかなくなるので、ここでは、あらかじめ定めた任意の周期にて点滅させることが望ましい。任意の周期とは操作者（ユーザ）が認識できる周期であることが望ましい。投光部１０９を点滅させることによって、操作者は、図２の従来のバーコードリーダ２００のようなブザー１０７、確認ＬＥＤ１０８が無くても、バーコードリーダ１００が設定モードに移行したことを確認することができる。
【００２０】
ここで、各種設定用バーコードシンボル４０１を読み取らせる場合には、再度、外部読取信号入力部１０６に対して操作者（ユーザ）からの点灯指示の信号を印加することによって、制御部１０４の投光部駆動信号発生部１１３を駆動させることにより投光部１０９を点灯状態に設定して、受光部１０１にて各種設定用バーコードシンボル４０１を読み取る。この読み取り結果は、増幅回路部１０２、二値化回路部１０３を介して、制御部１０４に通知され、制御部１０４のデコード部１１１にて読み取った各種設定用バーコードシンボル４０１が解釈されて、それぞれの設定用バーコードシンボルに対応する動作状態に設定される。各種設定用バーコードシンボル４０１の読み取り後は、再度、制御部１０４の投光部駆動信号発生部１１３の点滅駆動により投光部１０９は自動的に点滅状態に復帰し、操作者に、バーコードリーダ１００が設定モードの状態を継続していることを認識させる。
【００２１】
なお、各種設定用バーコードシンボル４０１としては、例えば、バーコードリーダ１００の通信設定、読取シンボルラベル体系の選択結果などを少なくとも含む各種の所望する動作状態に対応した状態に設定することができるように、各動作状態に応じて異なるバーコードデータ（バーコードシンボル）で構成されている。
【００２２】
バーコードリーダ１００の設定モードの設定終了は、設定終了バーコードシンボル４０２を読み取ることにより、この読み取り結果が通知された制御部１０４のデコード部１１１にて設定終了バーコードシンボル４０２であることが解釈されて、投光部１０９は点滅状態から消灯状態に復帰し、設定モードから運用モードに戻る。
【００２３】
以上に説明したように、本実施例においては、バーコードリーダ１００として設定モード通知用のブザーと確認ＬＥＤとを備えることなく、投光部１０９の点滅動作によって、設定モードの設定者にその旨を通知することができるので、バーコードリーダ１００の部品点数を削減し、バーコードリーダ製品のコスト低減を図ることが可能である。また、バーコードリーダ１００の工場での製造時、あるいは、出荷後の市場での運用時などにおいて、設定モードの設定がなされた際に、ブザーや確認ＬＥＤが無くても、投光部１０９の点滅動作によって設定モードに移行したことを確認することができるので、設定時のトラブルを未然に防止することができる。
【００２４】
（他の実施例）
実際の運用時における投光部１０９の状態は、バーコードシンボルを受光部１０１にて読み取ることが可能であれば、点灯していても消灯していても、いずれの状態であっても構わない。また、場合によっては、受光部１０１を常時動作させてバーコードシンボルの読み取り動作を継続させることによって、外部読取信号入力部１０６に点灯指示の信号を入力しなくとも、受光部１０１にて設定開始バーコードシンボル４００を自動的に検出して、投光部１０９を点灯させるようにしても構わない。
【００２５】
また、各種設定用バーコードシンボル４０１や設定終了バーコードシンボル４０２を読み取る場合、投光部１０９を点灯状態にしないで、点滅状態のまま、各種設定用バーコードシンボル４０１や設定終了バーコードシンボル４０２を読み取らせるようにしても良い。
【００２６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００２７】
【図１】本発明によるバーコードリーダのブロック構成の一例を示すブロック構成図である。
【図２】従来のバーコードリーダのブロック構成を示すブロック構成図である。
【符号の説明】
【００２８】
１００      バーコードリーダ
１０１      受光部
１０２      増幅回路部
１０３      二値化回路部
１０４      制御部
１０５      データ出力部
１０６      外部読取信号入力部
１０７      ブザー
１０８      確認ＬＥＤ
１０９      投光部
１１１      デコード部
１１２      受光部駆動信号発生部
１１３      投光部駆動信号発生部
２００      バーコードリーダ
３００      バーコードシンボル
４００      設定開始バーコードシンボル
４０１      各種設定用バーコードシンボル
４０２      設定終了バーコードシンボル
【図１】
2008033711.tif 000003
【図２】
2008033711.tif 000004